(57)【要約】【課題】鉛蓄電池を梱包箱に収納し、パレット上に多段積みして輸送する際、荷崩れや横ずれが発生し、これによる梱包箱の破損や梱包箱表示の摩滅劣化を抑制すること。【解決手段】鉛蓄電池と、この前記鉛蓄電池を収納した段ボール製の梱包箱とからなる鉛蓄電池梱包体であって、梱包箱の底面または天面の一部を、前記梱包箱内側方向から外側方向に圧縮変形することによって、梱包箱の表面に、梱包箱外側に向かって突出した突出部を設けた鉛蓄電池梱包体を形成し、この鉛蓄電池梱包体をパレット上に多段積みして集積体を形成する。【選択図】図３
2008254802.tif 000002
【特許請求の範囲】
【請求項１】
鉛蓄電池と、前記鉛蓄電池を収納した段ボール製の梱包箱とからなる鉛蓄電池梱包体であって、前記梱包箱の底面の一部を、前記梱包箱内側方向から外側方向に圧縮変形することによって、前記梱包箱の底面に、梱包箱外側に向かって突出した突出部を設けた鉛蓄電池梱包体。
【請求項２】
前記梱包箱の天面の一部を前記梱包箱の内側方向に圧縮変形することによって、前記天面に陥没部を、前記突出部に対応して設けた請求項１に記載の鉛蓄電池梱包体。
【請求項３】
請求項１もしくは請求項２に記載の鉛蓄電池梱包体をパレット上に上下方向に多段積みした鉛蓄電池梱包体の集積体。
【請求項４】
鉛蓄電池と、前記鉛蓄電池を収納した段ボール製の梱包箱とからなる鉛蓄電池梱包体であって、前記梱包箱の天面の一部を、前記梱包箱の内側から外側方向に圧縮変形することによって、前記天面に、前記梱包箱内側から外側に向けて突出する突出部を設けた鉛蓄電池梱包体。
【請求項５】
前記梱包箱の底面の一部を圧縮することによって、前記突出部に対応して、前記底面に陥没部を前記梱包箱内側方向に陥没するよう設けた請求項４に記載の鉛蓄電池梱包体。
【請求項６】
請求項４もしくは請求項５に記載の鉛蓄電池梱包体をパレット上に上下方向に多段積みした鉛蓄電池梱包体の集積体。
【請求項７】
鉛蓄電池と、前記鉛蓄電池を収納した段ボール製の梱包箱とからなる鉛蓄電池梱包体であって、前記梱包箱の底面に前記梱包箱外側に露出するスリットを形成した鉛蓄電池梱包体。
【請求項８】
前記スリットは、前記スリットを形成するスリット刃を、前記底面の前記梱包箱内側面から外側面にかけて圧入して形成することによって、前記スリットの周辺部が、前記梱包箱外側方向に変形させたことを特徴する請求項７記載の鉛蓄電池梱包体。
【請求項９】
請求項７もしくは請求項８に記載の鉛蓄電池梱包体をパレット上に上下方向に多段積みした鉛蓄電池梱包体の集積体。
【発明の詳細な説明】
【技術分野】
【０００１】
本発明は、鉛蓄電池を段ボール製の梱包箱に収納した鉛蓄電池梱包体およびこの鉛蓄電池梱包体の複数を多段積みとした鉛蓄電池梱包体の集積体に関するものである。
【背景技術】
【０００２】
鉛蓄電池は、主に段ボール製の梱包箱に収納した状態で、流通される。また、販売店においては、梱包箱に収納された鉛蓄電池は、段積み状態で保管、あるいは陳列展示される。鉛蓄電池の梱包箱としては、例えば特許文献１に示されているような、梱包箱天面を構成する上を開閉可能なものを用いる。
【０００３】
なお、特許文献１には示されていないが、梱包箱の長側面および短側面にはそれぞれ下を設けて、短側面の下を短側面に対して９０°折込み、さらに長側面の９０°折込みことによって、それぞれを重ね合わせて、ホットメルト材等の接着剤により、両者を強固に接合した構造が一般的に知られている。
【０００４】
梱包された鉛蓄電池は、パレット上に段積み状態で集積され、トラックや鉄道等の輸送手段によって流通される。また、輸送途中では、フォークリフト等による荷積み・荷降ろし作業が発生する。特に、鉛蓄電池は、その体積に対して質量が大であるため、輸送途中や、荷積み・荷降ろし作業において、荷崩れが発生する危険性があった。
【０００５】
このような、輸送・搬送作業において発生する荷崩れを防止するために、例えば、特許文献２には、パレット上に梱包箱に収納された鉛蓄電池を段積みした状態で、鉛蓄電池をストレッチフィルムで結束固定することが示されている。
【０００６】
しかしながら、ストレッチフィルム本体の材料コストが必要となること、結束固定を解いたストレッチフィルムは、廃棄物として適切な処理をする必要があり、処理コストおよび環境面に与える影響は大であった。
【０００７】
また、鉛蓄電池梱包体の天面には、その内部に収納された鉛蓄電池の型式表示をはじめとする、各種の印刷表示を行うことが一般的である。多段積みされた鉛蓄電池梱包体で輸送・搬送による横ずれや、振動が加わった場合、天面の印刷表示が、底面によって摩滅されることによって、印刷表示品質が損なわれることがあった。
【特許文献１】特開２００３−３４１７３５号公報
【発明の開示】
【発明が解決しようとする課題】
【０００８】
本発明は、梱包された鉛蓄電池の段積み状態で輸送・搬送時に発生する、横ずれや、荷崩れを抑制することを目的とする。また、これらの効果によって、特に梱包箱天面の各種印刷表示の劣化を抑制することを目的とする。
【課題を解決するための手段】
【０００９】
前記した課題を解決するために、本発明の請求項１に係る発明は、鉛蓄電池と、前記鉛蓄電池を収納した段ボール製の梱包箱とからなる鉛蓄電池梱包体であって、前記梱包箱の底面の一部を、前記梱包箱内側方向から外側方向に圧縮変形することによって、前記梱包箱の底面に、梱包箱外側に向かって突出した突出部を設けた鉛蓄電池梱包体を示すものである。
【００１０】
また、本発明の請求項２に係る発明は、請求項１の鉛蓄電池梱包体において、前記梱包箱の天面の一部を前記梱包箱の内側方向に圧縮変形することによって、前記天面に陥没部を、前記突出部に対応して設けたものである。
【００１１】
また、本発明の請求項３に係る発明は、請求項１もしくは請求項２に記載の鉛蓄電池梱包体をパレット上に上下方向に多段積みした鉛蓄電池梱包体の集積体を示すものである。
【００１２】
さらに、本発明の請求項４に係る発明は、鉛蓄電池と、前記鉛蓄電池を収納した段ボール製の梱包箱とからなる鉛蓄電池梱包体であって、前記梱包箱の天面の一部を、前記梱包箱の内側から外側方向に圧縮変形することによって、前記天面に、前記梱包箱内側から外側に向けて突出する突出部を設けた鉛蓄電池梱包体を示すものである。
【００１３】
また、本発明の請求項５に係る発明は、請求項４の鉛蓄電池梱包体において、前記梱包箱の底面の一部を圧縮することによって、前記突出部に対応して、前記底面に陥没部を前記梱包箱内側方向に陥没するよう設けたものである。
【００１４】
また、本発明の請求項６に係る発明は、請求項４もしくは請求項５に記載の鉛蓄電池梱包体をパレット上に上下方向に多段積みした鉛蓄電池梱包体の集積体を示すものである。
【００１５】
また、本発明の請求項７に係る発明は、鉛蓄電池と、前記鉛蓄電池を収納した段ボール製の梱包箱とからなる鉛蓄電池梱包体であって、前記梱包箱の底面に前記梱包箱外側に露出するスリットを形成した鉛蓄電池梱包体を示すものである。
【００１６】
また、本発明の請求項８に係る発明は、請求項７に記載の鉛蓄電池梱包体において、前記スリットは、前記スリットを形成するスリット刃を、前記底面の前記梱包箱内側面から外側面にかけて圧入して形成することによって、前記スリットの周辺部が、前記梱包箱外側方向に変形させたことを特徴する。
【００１７】
さらに、本発明の請求項９に係る発明は、請求項７もしくは請求項８に記載の鉛蓄電池梱包体をパレット上に上下方向に多段積みした鉛蓄電池梱包体の集積体を示すものである。
【発明の効果】
【００１８】
前記した本発明の構成によれば、鉛蓄電池梱包体を多段積みして輸送・搬送する際の荷崩れが抑制できるという、顕著な効果を奏する。
【発明を実施するための最良の形態】
【００１９】
（第１の実施の形態）
以下、本発明の第１の実施の形態を説明する。図１は、本発明の第１の実施形態による鉛蓄電池梱包体１の断面を示す図である。
【００２０】
本発明の鉛蓄電池梱包体１は、鉛蓄電池２と、この鉛蓄電池２を収納した段ボール製の梱包箱３とからなる。梱包箱３は、底面３ａ、天面３ｂおよび側面３ｃで構成される。本発明では、梱包箱３の底面３ａの一部に、梱包箱３の外側に向かって突出した突出部４を設ける。この突出部４は、底面３ａ面を内側から外側方向に向かって圧縮変形して形成する。
【００２１】
図２（ａ）と図２（ｂ）は、底面３ａに突出部４を形成する過程を示す図であり、図２（ａ）に示すように、底面３ａをプレス型５，５´間に配置し、図２（ｂ）で示すように、このプレス型５，５´によって、底面３ａをプレス加工して、圧縮変形させることによって、突出部４を形成する。
【００２２】
なお、段ボール原反から、抜き金型を用いて、展開状態の梱包箱３を切り出す際に、この抜き金型加工と同時に、突出部４の形成を行うことにより、抜き金型加工と、プレス加工による突出部４の形成とを個別に実施する場合に比較して、工数削減が可能となり、より好ましい。
【００２３】
図３は、前記した本発明の鉛蓄電池梱包体１をパレット１２上に複数段に多段積みすることによって形成した、本発明の鉛蓄電池梱包体の集積体１１を示す図である。鉛蓄電池梱包体１を複数段多段積みすることによって、上段に位置する鉛蓄電池梱包体１の底面３ａに設けた突出部４は、下段に隣接する鉛蓄電池梱包体１の天面３ｂの外側面を押圧することによって、この天面３ｂの外側面が、圧縮変形を受け、陥没部６が形成される。
【００２４】
集積体１１において、上段に位置する鉛蓄電池梱包体１と、これに隣接し、かつ下段に位置する他の鉛蓄電池梱包体１とが、突出部４と陥没部６で嵌合した状態となる。したがって、集積体１１に輸送・搬送時における上下および左右方向の加速度や、傾斜が加わった場合において、鉛蓄電池梱包体１の横ずれと、これによる荷崩れを抑制することができる。
【００２５】
また、鉛蓄電池梱包体１の横ずれが抑制されるため、特に、天面３ｂに印刷表示が施されている場合には、天面３ｂと底面３ａ同士の摩擦によって生じる、天面３ｂ上の印刷表示の摩滅を抑制することができる。
【００２６】
なお、本実施の形態においては、鉛蓄電池梱包体１の天面３ｂに予め陥没部６を形成しておくことができる。陥没部６は、底面３ａに設けた突出部４と同様に、プレス加工によって、天面３ｂの一部を圧縮成型することによって、形成することができる。
【００２７】
本実施の形態では、底面３ａに突出部４を形成したが、底面３ａに替えて天面３ｂに突出部４を形成しても同様の効果が得られる。また、天面３ｂに突出部４を形成する場合には、底面３ａに、この突出部４と嵌合する陥没部６を予め形成しておくことにより、さらに輸送・搬送時における横ずれをより効果的に抑制することができる。
【００２８】
なお、突出部４の数は限定されるものではないが、矩形状の底面３ａのコーナー部にそれぞれ１個、合計４個を形成することが一般的である。
【００２９】
（第２の実施形態）
図４に、本発明の第２の実施形態による鉛蓄電池梱包体２１を示す。
【００３０】
本発明の鉛蓄電池梱包体２１は、鉛蓄電池２と、この鉛蓄電池２を収納した段ボール製の梱包箱２３とからなる。梱包箱２３は、底面２３ａ、天面２３ｂおよび側面２３ｃで構成される。
【００３１】
本発明の鉛蓄電池梱包体２１では、第１の実施形態における突出部４を底面３ａに形成するのに替えて、突出部４を天面２３ｂに形成する。鉛蓄電池梱包体２１を多段積みとした集積体２２では、下段に位置する鉛蓄電池梱包体２１の突出部４が、上段に位置する鉛蓄電池梱包体２１の底面を押圧変形することにより、突出部４に対応した陥没部６が形成され、集積体２２に上下左右方向の振動や加速度が加わったときの、鉛蓄電池梱包体２１の横ずれや荷崩れが抑制でき、これらによる梱包箱２３の破損、梱包箱２３上に印刷された各種表示・意匠の摩滅が抑制できる。突出部４の形成するにあたっては、第１の実施形態で述べたプレス型を使用すればよい。
【００３２】
（第３の実施形態）
図５に示したように、本発明の鉛蓄電池梱包体３１は、鉛蓄電池２と、この鉛蓄電池２を収納した段ボール製の梱包箱３２とからなる。梱包箱３２は、底面３２ａ、天面３２ｂおよび側面３２ｃで構成される。
【００３３】
本発明の第３の実施形態では、底面３２ａもしくは天面３２ｂに梱包箱３２外側に露出したスリット３３を有する。図６は、底面３２ａにスリット３３を形成した部分の拡大を示す図である。スリット３３は、底面３２ａもしくは天面３２ｂの、梱包箱３２内側から外側に向けってスリット３３を形成するための切断刃（図示せず）を侵入させることによって、スリット３３の切断面３３ａと、底面３２ａ（もしくは３２ｂ）とが交わることによって形成されるスリット３３のエッジ部３３ａが、底面３２ａよりも下方に突出もしくは、エッジ部３３ａさせた構成とすることが好ましい。
【００３４】
底面３２ａもしくは天面３２ｂにスリット３３を形成することによって、一本のスリット３３毎に一対のエッジ部３３ａが形成される。本発明の鉛蓄電池梱包体３１をパレット１２上に複数段に段積みして、本発明の第３の実施形態による鉛蓄電池３１の集積体（図示せず）を形成した場合、このエッジ部３３ａによって、上方に位置する鉛蓄電池梱包体３１の底面３２ａと下方に位置する鉛蓄電池梱包体３１の天面３２ｂとの横方向の摩擦係数が増大する。
【００３５】
したがって、本発明の鉛蓄電池梱包体３１をパレット１２上に複数段に段積みして集積体を形成し、この集積体を輸送・搬送する際の、鉛蓄電池梱包体３１の横ずれや荷崩れを防止することができる。また、横ずれが抑制されるため、梱包箱３２の破損や、天面３２ｂ上に形成された、鉛蓄電池２の型式表示等の印刷表示の摩滅を抑制することができる。
【００３６】
エッジ部３３ａによる底面３２ａと、天面３２ｂとの摩擦係数を増大させるために、エッジ部３３ａが、上下に隣接しあう鉛蓄電池梱包体３１の天面３２ｂもしくは底面３２ａに圧接されるように、前記したように、エッジ部３３ａが底面３２ａより、梱包箱３２外側方向に張り出した形状となることが好ましい。
【００３７】
スリット３３の形状および形成する位置に関しては、図７に示したように、底面３２ａもしくは天面３２ｂのコーナー部に放射状に形成することが以下の理由により好ましい。できる。エッジ部３３ａによる横ずれ防止効果は、スリット３３に対して垂直方向で特に有効に得られるため、鉛蓄電池梱包体３１が種々の方向に対して横ずれ防止効果を得るために、例えば、スリット３３を図７に示したような放射状とすることが好ましい。
【００３８】
スリット３３は種々の方向に形成することは、鉛蓄電池梱包体３１の横ずれ防止の面で好ましいが、過度のスリット３３形成は、スリット３３を形成した底面３２ａもしくは天面３２ｂの強度が低下するため、梱包箱３２内に収納する鉛蓄電池２の質量に応じた強度が十分に確保できるよう、スリット３３の長さ、形成本数、位置および形成パターンを設定する。
【００３９】
前記した本発明の構成によれば、鉛蓄電池を梱包箱内に収納した鉛蓄電池梱包体を、パレット上に多段積みとした集積体の状態で、輸送・搬送する際に生じていた、鉛蓄電池梱包体の横ずれによる荷崩れや、これによる梱包箱の破損や、鉛蓄電池が横倒し状態となることによる漏液、さらには梱包箱天面の印刷表示品質の劣化を抑制するという、顕著な効果が得られる。
【００４０】
また、鉛蓄電池梱包体の横ずれや荷崩れが抑制されることにより、集積体内の鉛蓄電池梱包体をストレッチフィルム等の結束部材で結束する際、この結束部材の使用量が大幅に削減できるため、結束部材の材料費や結束作業工数の削減が可能となる。また、開梱時の結束部材の廃棄量も大幅に削減できるため、環境の面から顕著な効果を得ることができる。
【実施例】
【００４１】
前記した本発明の第１及び第３の実施形態による鉛蓄電池梱包体と、比較例による鉛蓄電池梱包体を作成し、パレット上に４行６列で３段積みして集積体を作成し、これらの集積体について、輸送および搬送を想定した、振動試験を行ったときの、鉛蓄電池梱包体の荷崩れの状態および各鉛蓄電池梱包体の天面印刷表示の劣化状態を評価した。
【００４２】
なお、本発明例および比較例ともに、梱包箱の寸法は、高さ２３７ｍｍ、横幅１３２ｍｍ、奥行き１３２ｍｍの直方体形状である。なお、各梱包箱の素材は、厚み３．０ｍｍの段ボールである。また、本発明例および比較例ともに、各梱包箱に収納する鉛蓄電池は、３８Ｂ１９形の始動用鉛蓄電池であり、その質量は９．０ｋｇである。
【００４３】
（本発明例Ａ）
本発明例Ａは、前記した本発明の第１の実施の形態による鉛蓄電池梱包体１である。本発明例Ａでは、底面３ａのコーナー部に各１個、合計４個の突出部４を設けたものである。突出部４の頂面は、直径２０ｍｍの円であり、突出部４の突出高さは０．５ｍｍである。なお、天面３ｂは平面状とし、凹凸を設けていない。
【００４４】
（本発明例Ｂ）
本発明例Ｂは、前記した本発明例Ａにおいて、天面３ｂに陥没部６を設けたものである。この陥没部６は、本発明例Ｂによる鉛蓄電池梱包体を複数段に段積みした際に、底面３ａに設けた突出部４と嵌合する位置とサイズで設けた。
【００４５】
（本発明例Ｃ）
本発明例Ｃは、本発明の第１の実施の形態の鉛蓄電池梱包体１において、突出部４を天面３ｂのコーナー部に設けたものである。突出部４の形状寸法は、本発明例Ａと同じである。なお、底面３ａは平面状とし、凸凹を設けていない。
【００４６】
（本発明例Ｄ）
本発明例Ｄは、前記した本発明例Ｃにおいて、底面３ａに陥没部６を設けたものである。この陥没部６は、本発明例Ｄによる鉛蓄電池梱包体を複数段に段積みした際に、天面３ｂに設けた突出部４と嵌合する位置とサイズで設けた。
【００４７】
（本発明例Ｅ）
本発明例Ｅは、前記した本発明の第３の実施の形態による鉛蓄電池梱包体３１である。梱包箱３２の底面３２ａのコーナー部に、４０ｍｍ長のスリット３３の４本を、それぞれのスリット長さの中心で互いに４５°の角度で交差するよう放射状に配置した。スリット３３は、スリット形成用切断刃を梱包箱３２内側から外側に向けて圧入して形成したものである。鉛蓄電池２を収納しない、梱包箱３２単体の状態で、スリット３３のエッジ部３３ａは、底面３２ａより０．４ｍｍ張り出した状態となっていた。
【００４８】
（本発明例Ｆ）
本発明例Ｆは、前記した本発明例Ｅにおいてスリット３３を形成する切断刃の圧入方向を、本発明例Ｅとは逆方向、すなわち、梱包箱３２の外側から内側方向とした。これにより、エッジ部３３ａは、底面３２ａから、梱包箱３２内側方向に０．２ｍｍ陥没した状態となる。
【００４９】
（比較例Ｇ）
比較例Ｇは、前記した本発明例Ａ〜Ｆとは異なり、梱包箱の底面にも天面にもなんらの加工を施さず、これらを平滑な平面状態としたものである。
【００５０】
前記した本発明例Ａ〜Ｆ及び比較例Ｇの鉛蓄電池梱包体の集積体を、振動試験機上に固定し、前後左右方向に各１時間の合計２時間、３０Ｈｚの周波数、振幅２０ｍｍで振動試験を行なったときの、集積体の荷崩れ状態を確認した。なお、本発明例Ａ〜Ｆ及び比較例Ｇともに、鉛蓄電池梱包体間は結束固定を行なっていない状態である。
【００５１】
振動試験の結果を表１に示す。
【００５２】
【表１】
2008254802.tif 000003
【００５３】
表１に示した結果から、本発明例Ａ〜Ｆは、鉛蓄電池梱包体の荷崩れもなく、天面印刷の状態も良好に維持されていた。一方、比較例によるものは、最上段の鉛蓄電池梱包体が荷崩れにより落下した。また、第１〜第３段目の鉛蓄電池梱包体の天面印刷の一部が摩滅し、品番表示等、表示の一部が判読不能な状態となっていた。
【００５４】
本発明例においては、突出部４と、これに対応する陥没部６を設けた本発明例Ｂ及び本発明例Ｄにおいて、横ずれも殆どなく、集積体の状態は極めて良好であった。
【００５５】
陥没部６を設けなかった、本発明例Ａ及び本発明例Ｃは、荷崩れは防止できたものの、最大１０ｍｍの横ずれが発生した。陥没部６を設けることがより好ましい。
【００５６】
スリットを設けた本発明例Ｅ及び本発明例Ｆは、いずれも荷崩れを発生させなかった。但し、横ずれ量を抑制するために、エッジ部３３ａを梱包箱３２内側から外側方向に突出するよう設けることが好ましい。
【００５７】
以上、本発明によれば、鉛蓄電池梱包体をパレット上に集積して輸送する際の、荷崩れや横ずれ、およびこれらによる梱包箱の破損や鉛蓄電池の横倒しによる漏液、さらには梱包箱表面の各種表示の摩滅による劣化を顕著に抑制できる。また、荷崩れや横ずれが抑制されるため、鉛蓄電池梱包体同士を固定する結束材料も不要もしくはその使用量を大幅に削減できることから、結束材料費の削減や環境的な側面でも顕著な効果を奏する。
【産業上の利用可能性】
【００５８】
本発明は、梱包箱に収納された状態の鉛蓄電池の輸送形態として極めて好適である。
【図面の簡単な説明】
【００５９】
【図１】本発明の第１の実施形態による鉛蓄電池梱包体の断面を示す図
【図２】（ａ）突出部形成過程を示す図（ｂ）突出部形成過程を示す他の図
【図３】本発明の鉛蓄電池梱包体の集積体の断面を示す図
【図４】本発明の第２の実施形態による鉛蓄電池梱包体と、これらの集積体を示す図
【図５】本発明の第３の実施形態による鉛蓄電池梱包体を示す図
【図６】本発明の第３の実施形態による鉛蓄電池梱包体の要部を示す図
【図７】本発明の第３の実施形態による鉛蓄電池梱包体の底面を示す図
【符号の説明】
【００６０】
１      鉛蓄電池梱包体
２      鉛蓄電池
３      梱包箱
３ａ    底面
３ｂ    天面
３ｃ    側面
４      突出部
５，５´  プレス型
６      陥没部
１１    集積体
１２    パレット
２１    鉛蓄電池梱包体
２３    梱包箱
２３ａ  底面
２３ｂ  天面
２３ｃ  側面
３１    鉛蓄電池梱包体
３２    梱包箱
３２ａ  底面
３２ｂ  天面
３２ｃ  側面
３３    スリット
３３ａ  エッジ部
【図１】
2008254802.tif 000004
【図２】
2008254802.tif 000005
【図３】
2008254802.tif 000006
【図４】
2008254802.tif 000007
【図５】
2008254802.tif 000008
【図６】
2008254802.tif 000009
【図７】
2008254802.tif 000010